(57)【要約】【課題】  挿入した針金や棒等をサムターンに引っ掛けてサムターンを回転することによる不正解錠を阻止し、防犯性の向上を図る。【解決手段】  扉の屋内側の面に突出させた板状の摘み２１の回転を、回転操作力の入力状況に応じて規制することで、扉に設けられた錠箱に対する解錠操作となる回転操作力の入力を不能にする防犯サムターン１００であって、錠箱へ操作力を伝達するサムターン軸１５に連結され且つサムターン軸１５に対し回転半径方向外側に移動自在な摘み２１と、摘み２１の回転軌跡円の外方に設けられ、回転半径方向外側に移動された摘み２１に当接して摘み２１の回転を阻止する回転規制部材２９と、サムターン軸１５と摘み２１との間に介装され移動された摘み２１を元の位置に復帰させるコイルバネ２７とを設けた。【選択図】      図１
2005030146.tif 000002
【特許請求の範囲】
【請求項１】
扉の屋内側の面に突出させた摘みの回転を、回転操作力の入力状況に応じて規制することで、前記扉に設けられた錠箱に対する解錠操作となる回転操作力の入力を不能にする防犯サムターンであって、
前記錠箱へ操作力を伝達するサムターン軸に連結され且つ該サムターン軸に対し回転半径方向外側に移動自在な摘みと、
該摘みの回転軌跡円の外方に設けられ、回転半径方向外側に移動された前記摘みに当接して該摘みの回転を阻止する回転規制部材と、
前記サムターン軸と前記摘みとの間に介装され移動された前記摘みを元の位置に復帰させる付勢手段と、
を具備したことを特徴とする防犯サムターン。
【請求項２】
請求項１記載の防犯サムターンであって、
前記サムターン軸が断面四角形状に形成され、
前記摘みの背面中央に、該サムターン軸の端部に相対回転不能に係合するとともに、該端部に案内されて回転半径方向外側へ移動可能にする矩形状の摺動穴が穿設され、
前記サムターン軸の両側面と該摺動穴との間に、前記摘みを元の位置に復帰させる付勢部材が配設されることを特徴とする防犯サムターン。
【請求項３】
請求項１又は２記載の防犯サムターンであって、
前記摘みの表面に、回転半径方向外側に向かって徐々に板厚を薄厚にする傾斜面が形成されていることを特徴とする防犯サムターン。
【請求項４】
請求項１又は２又は３記載の防犯サムターンであって、
前記回転規制部材が、
前記回転軌跡円に沿って前記摘みの周囲に立設された円弧状の周壁と、
該周壁に形成され前記摘みの外端部が進入可能となった切欠部とからなり、
且つ該切欠部が、
施錠位置にある摘みの外端部に対向して配設されていることを特徴とする防犯サムターン。
【発明の詳細な説明】
【技術分野】
【０００１】
本発明は、扉の屋内側の面に突出させた板状の摘みの回転を、回転操作力の入力状況に応じて規制することで、錠箱に対する不正な解錠操作となる回転操作力の入力を不能にする防犯サムターンに関する。
【背景技術】
【０００２】
マンションや住宅等の玄関扉には錠箱が設けられ、錠箱は扉木口から進退させたデッドボルトを扉枠に係合・係合解除させて、扉を施解錠する施解錠機構を内蔵している。この錠箱には扉の屋外側からシリンダー錠によって施解錠操作力が入力され、扉の屋内側からはサムターンにより施解錠操作力が入力可能となっている。すなわち、屋外側からはシリンダー錠の合鍵による操作が必要になる一方、屋内側からは合鍵を用いずに摘みのみの回転操作で施解錠が行える。
【０００３】
この種のサムターンは、下記特許文献１にも開示されるように、扉の屋内面側に垂直に突出した翼板状の摘みを有する。この摘みは、サムターン軸を介して錠箱の施解錠機構に連結されている。従って、屋内側からは、この摘みを指で摘んで正逆回転操作することで、回転操作力がサムターン軸を介して直接錠箱へ伝達され、施解錠機構によりデッドボルトが進退されて、施解錠操作が簡便に行えるようになっている。
【特許文献１】特公平２−１５７１５号公報  （第１図ｂ，第１図ｃ）
【発明の開示】
【発明が解決しようとする課題】
【０００４】
しかしながら、近年、特に玄関扉や、その扉周りの建具には、豪華さや優美さを演出するためのガラス嵌小窓が採用される傾向にあり、このような小窓を有する扉や、近傍に小窓が設けられた扉では、小窓のガラスが割られると、外部から手を差し入れてサムターンを不正に操作したり、先端を鉤状に曲げた針金や棒等を挿入して、サムターンが不正に操作されてしまう虞れがある。
【０００５】
一般的に、扉に多用される回転式のサムターンは、屋内側に露出する摘みが回動中心から半径方向外側に翼部を張り出させた形状であるため、この翼板部に、針金等を曲げた鉤状先端を掛止し、回転モーメントを与えることにより不正な解錠操作が可能となる場合があった。
【０００６】
また、サムターンは、上記した小窓の無い扉においても、郵便ポストの投入開口など、針金を挿入する穴や隙間が扉自体或いは扉近傍の壁部等にあれば、同様に不正解錠される虞があった。
【０００７】
本発明は上記状況に鑑みてなされたもので、挿入した針金や棒等をサムターンに引っ掛けて、サムターンを回転することによる不正解錠を阻止できる防犯サムターンを提供し、防犯性の向上を図ることを目的とする。
【課題を解決するための手段】
【０００８】
次に、上記の課題を解決するための手段を、実施の形態に対応する図面を参照して説明する。
この発明の請求項１記載の防犯サムターン１００は、扉の屋内側の面に突出させた摘み２１の回転を、回転操作力の入力状況に応じて規制することで、前記扉に設けられた錠箱に対する解錠操作となる回転操作力の入力を不能にする防犯サムターン１００であって、
前記錠箱へ操作力を伝達するサムターン軸１５に連結され且つ該サムターン軸１５に対し回転半径方向外側に移動自在な摘み２１と、
該摘み２１の回転軌跡円の外方に設けられ、回転半径方向外側に移動された前記摘み２１に当接して該摘み２１の回転を阻止する回転規制部材２９と、
前記サムターン軸１５と前記摘み２１との間に介装され移動された前記摘み２１を元の位置に復帰させる付勢手段２７と、
を具備したことを特徴とする。
【０００９】
この防犯サムターン１００では、回転中心軸を点対称に逆方向の等しい回転モーメントが摘み２１に加えられた場合、摘み２１が回転半径方向外側へ移動せず、回転規制部材２９と干渉せずに回転可能となり、摘み２１による回転操作力がサムターン軸１５を介して錠箱へ入力される。これに対し、屋内側へ挿入した針金で摘み２１を引っ掛け、或いは挿入した棒で摘みを押し回ししようとすると、摘み２１が回転半径方向外側へ移動され、回転規制部材２９に当接して回転が阻止され、摘み２１による操作力の入力が不可能となる。これにより、挿入した針金や棒等を摘みに引っ掛ける等して、摘み２１を回転する不正解錠が阻止され、防犯性が高まる。
【００１０】
請求項２記載の防犯サムターンは、請求項１記載の防犯サムターン１００であって、
前記サムターン軸１５が断面四角形状に形成され、
前記摘み２１の背面中央に、該サムターン軸１５の端部１７に相対回転不能に係合するとともに、該端部１７に案内されて回転半径方向外側へ移動可能にする矩形状の摺動穴２３が穿設され、
前記サムターン軸１５の両側面と該摺動穴２３との間に、前記摘み２１を元の位置に復帰させる一対の付勢部材２７，２７が配設されることを特徴とする。
【００１１】
この防犯サムターン１００では、摘み２１がサムターン軸１５に対し相対回転不能になるとともに、回転半径方向外側へ移動可能となり、且つ移動された摘み２１がコイルバネなどよりなる一対の付勢部材２７，２７の付勢力によって元の位置に自動的に復帰される。従って、サムターン軸１５への回転操作力の伝達と、摘み２１の回転半径方向外側への移動とが、堅牢、簡素な構造で、且つ確実に実現可能となる。
【００１２】
請求項３記載の防犯サムターン１００は、請求項１又は２記載の防犯サムターン１００であって、
前記摘み２１の表面に、回転半径方向外側に向かって徐々に板厚Ｔを薄厚にする傾斜面３３が形成されていることを特徴とする。
【００１３】
この防犯サムターン１００では、針金による引っ掛け力、或いは棒による押圧力が、摘み２１に対し垂直方向で加えられても、摘み２１の傾斜面３３によって、この力（合力）から摘み２１を回転半径方向外側へ移動させる分力が生じ、摘み２１が移動され易くなる。従って、移動方向の力が加えられた場合は元より、摘み２１に対し垂直方向の力が加えられた場合でも摘み２１が移動可能となり、針金、棒等を使用した不正解錠に対する防犯性が一層高まる。
【００１４】
請求項４記載の防犯サムターン１００は、請求項１又は２又は３記載の防犯サムターン１００であって、
前記回転規制部材２９が、
前記回転軌跡円に沿って前記摘みの周囲に立設された円弧状の周壁２９ａと、
該周壁２９ａに形成され前記摘み２１の外端部２１ａが進入可能となった切欠部２９ｂとからなり、
且つ該切欠部２９ｂが、
施錠位置にある摘み２１の外端部２１ａに対向して配設されていることを特徴とする。
【００１５】
この防犯サムターン１００では、針金、棒等を使用した不正解錠の初動時に、摘み２１が切欠部２９ｂに進入し易く、また、正規の回転操作により回転始動された後には、摘み２１の外端部２１ａが周壁２９ａの内周面に摺接しながら回り、この周壁２９ａがガイドとなって、摘み２１が不用意に移動されなくなる。これにより、不正解錠が阻止されながら、良好な操作性が確保される。
【発明の効果】
【００１６】
本発明に係る請求項１記載の防犯サムターンによれば、サムターン軸に対し回転半径方向外側に移動自在な摘みと、回転半径方向外側に移動された摘みに当接して摘みの回転を阻止する回転規制部材とを備えたので、屋内側へ挿入した針金で摘みを引っ掛け、或いは挿入した棒で摘みを押し回ししようとすると、摘みが回転半径方向外側へ移動し、回転規制部材に当接して回転が阻止され、摘みによる操作力の入力を不可能にすることができる。この結果、挿入した針金や棒等を摘みに引っ掛ける等して、摘みを回転することによる不正解錠を阻止でき、防犯性を向上させることができる。
【００１７】
本発明に係る請求項２記載の防犯サムターンによれば、摘みの背面中央に穿設された矩形状の摺動穴が断面四角形状のサムターン軸端部に係合され、サムターン軸の両側面と摺動穴との間に付勢部材が配設されるので、摘みをサムターン軸に対し相対回転不能にするとともに、回転半径方向外側へ移動可能にし、且つ移動された摘みを付勢部材の付勢力によって元の位置に自動的に復帰させることができる。従って、サムターン軸への回転操作力の伝達と、摘みの回転半径方向外側への移動とを、堅牢、簡素な構造で、且つ確実に実現させることができる。
【００１８】
本発明に係る請求項３記載の防犯サムターンによれば、摘みの表面に、回転半径方向外側に向かって徐々に板厚を薄厚にする傾斜面が形成されているので、針金による引っ掛け力、或いは棒による押圧力が、摘みに対し垂直方向で加えられても、摘みの傾斜面によって、この力（合力）から摘みを回転半径方向外側へ移動させる分力が生じ、摘みが回転半径方向外側へ移動され易くなる。従って、摘みを移動させる方向の力が加えられた場合は元より、摘みに対し垂直方向の力が加えられた場合でも摘みが移動可能となり、針金、棒等を使用した不正解錠に対する防犯性を一層向上させることができる。
【００１９】
本発明に係る請求項４記載の防犯サムターンによれば、回転規制部材が、円弧状の周壁と、この周壁に形成され摘みの外端部が進入可能な切欠部とからなり、且つこの切欠部が、施錠位置にある摘みの外端部に対向して配設されるので、針金、棒等を使用した不正解錠の初動時には、摘みが切欠部に進入し易く、また、正規の回転操作により回転始動された後には、摘みの外端部が周壁の内周面に摺接しながら回り、この周壁がガイドとなって、摘みが不用意に回転半径方向外側へ移動されなくなる。この結果、不正解錠を阻止しながら、良好な操作性を確保することができる。
【発明を実施するための最良の形態】
【００２０】
以下、本発明に係る防犯サムターンの好適な実施の形態を図面を参照して説明する。
図１は本発明に係る防犯サムターンの分解斜視図、図２は図１に示した防犯サムターンの正面図、図３は図２に示した防犯サムターンの側面図、図４は図２に示した防犯サムターンの摘みを切り欠いた正面図である。
【００２１】
本実施の形態による防犯サムターン１００が取付けられる図示しない扉には、錠箱が設けられる。錠箱は、ラッチボルト、デッドボルト、及びこれらを扉の木口から進退させる錠箱機構を内設している。錠箱のデッドボルトは、扉の屋外側の面に設けたシリンダー錠を合鍵によって、又は扉の屋内側の面に設けられたサムターン摘みを正逆回転することで木口からの進退が可能となっている。
【００２２】
扉の屋内面には頂部が平坦な座面１１ａとなる円錐形の化粧筒１１が取付けられ、座面１１ａの中央には軸穴１３が穿設されている。軸穴１３にはサムターン軸１５の基端が挿入され、サムターン軸１５は挿入された基端が図示しない錠箱に連結される。サムターン軸１５は、例えば図１に示すような断面四角形状の略角柱状に形成される。サムターン軸１５の先端部には、上面と下面との間の高さが大きくなった端部としての係合部１７が形成されている。従って、この係合部１７と、基端部側との間には段部１９が存在する。
【００２３】
一方、摘み２１の背面中央にはサムターン軸１５の係合部１７に相対回転不能に係合するとともに、摘み２１を回転半径方向外側へ移動可能にする矩形状の摺動穴２３が穿設されている。係合部１７の両側面には保持穴２５，２５が穿設され、この保持穴２５，２５には付勢手段となる付勢部材としてのコイルバネ２７，２７がそれぞれ挿入保持されている。
【００２４】
一端が保持穴２５に挿入されたコイルバネ２７の他端は、図２、図４に示すように、摺動穴２３の内面に当接する。つまり、係合部１７の両側面と摺動穴２３との間に配設された各コイルバネ２７，２７は、回転半径方向外側へ移動された摘み２１を元の位置、すなわち、サムターン軸１５の中心軸線上に位置するように復帰させるようになっている。
【００２５】
摘み２１の背面には保持板２８がビス固定される。保持板２８にはサムターン軸１５の基端が貫通可能で、且つ係合部１７が貫通しない大きさで形成された矩形状の遊び穴３１が設けられている。摘み２１は、摺動穴２３に係合部１７が挿入され、サムターン軸１５の基端に外挿された保持板２８が背面にビス固定されることで、サムターン軸１５からの抜けが阻止され、且つサムターン軸１５との相対回転が不能になるとともに、摘み２１の回転半径方向外側への移動が可能となっている。
【００２６】
このような係合部１７と摺動穴２３とによる係合構造を有した防犯サムターン１００では、摘み２１がサムターン軸１５に対し相対回転不能になるとともに、回転半径方向外側へ移動可能となり、且つ移動された摘み２１が一対のコイルバネ２７，２７の付勢力によって元の位置に自動的に復帰される。従って、サムターン軸１５への回転操作力の伝達と、摘み２１の回転半径方向外側への移動とが、堅牢、簡素な構造で、且つ確実に実現可能となっている。
【００２７】
摘み２１は、サムターン軸１５が錠箱に連結されることで、化粧筒１１の座面１１ａ上で正逆方向に回転されることになる。この化粧筒１１の座面１１ａ上には摘み２１の回転軌跡円の外方に回転規制部材２９が設けられ、回転規制部材２９は回転半径方向外側に移動された摘み２１に当接して、この摘み２１の回転を阻止するようになっている。
【００２８】
本実施の形態において、回転規制部材２９は、回転軌跡円に沿ってその周囲に立設された円弧状の周壁２９ａと、この周壁２９ａに形成され摘み２１の外端部２１ａが進入可能となった切欠部２９ｂとからなる。また、切欠部２９ｂは、図２に示すように、施錠位置にある摘み２１の外端部２１ａに対向して配設されている。従って、切欠部２９ｂは、摘み２１の左右二箇所の外端部２１ａ，２１ａに対応して二箇所設けられている。
【００２９】
このように、切欠部２９ｂが、施錠位置にある摘み２１の外端部２１ａに対向して配設されていることで、針金、棒等を使用した不正解錠の初動時には、摘み２１が切欠部２９ｂに進入し易く、また、正規の回転操作により回転始動された後には、摘み２１の外端部２１ａが周壁２９ａの内周面に沿って摺接可能となって回り、この周壁２９ａがガイドとなって、摘み２１が不用意に回転半径方向外側へ移動されなくなる。これにより、不正解錠が阻止されながら、良好な操作性が確保されるようになっている。
【００３０】
なお、摘み２１の表面には図２，図３に示す傾斜面３３が形成され、傾斜面３３は回転半径方向外側に向かって徐々に板厚Ｔを薄厚にする傾斜面で形成されている。本実施の形態において、傾斜面３３は、摘み２１における前端面２１ｂ（図２参照）の四隅の角部を除去した形状の傾斜面となっている。また、傾斜面３３は、曲面であってもよい。さらに、傾斜面３３は、回動中心から半径方向外側に翼部を張り出させて形成した楕円柱形状の外周面であってもよい。
【００３１】
この傾斜面３３が設けられることで、針金による引っ掛け力、或いは棒による押圧力が、摘み２１に対し垂直方向（図２の上下方向）で加えられても、摘み２１の傾斜面３３によって、この力（合力）から摘み２１を回転半径方向外側へ移動させる分力が生じ、摘み２１が回転半径方向外側へ移動され易くなる。従って、摘み２１を移動させる方向の力が加えられた場合は元より、摘み２１に対し垂直方向の力が加えられた場合でも摘み２１が移動可能となり、針金、棒等を使用した不正解錠に対する防犯性が一層高められるようになっている。
【００３２】
次に、このように構成された防犯サムターン１００の作用を説明する。
図５は摘みがスライドした状態の防犯サムターンの正面図、図６は摘みがスライドした状態の防犯サムターンの平面図である。
防犯サムターン１００は、扉の屋内側の面に突出させた板状の摘み２１の回転を、回転操作力の入力状況に応じて規制することで、扉に設けられた錠箱に対する解錠操作となる回転操作力の入力を不能にするよう作動する。
【００３３】
すなわち、摘み２１を扉の正面から指にて摘み、この摘み２１に回転中心軸を点対称に逆方向の等しい回転モーメントが加えられた場合には、摘み２１が回転半径方向外側へと移動されず、図４に示すように、外端部２１ａが切欠部２９ｂから離間したままとなり、摘み２１が回転操作可能となる。そして、正規の回転操作により回転始動された後には、摘み２１の外端部２１ａが周壁２９ａの内周面に沿って摺接可能に回り、この周壁２９ａがガイドとなって、摘み２１が不用意に回転半径方向外側へ移動されなくなる。これにより、良好な操作性が得られる。なお、通常、解錠状態の摘み２１は垂直な状態であり、摘み２１の各外端部２１ａが周壁２９ａの内側に位置することとなり、解錠状態から施錠状態への回転操作時には、摘み２１が回転半径方向外側に移動することなく、操作性を低下させるとなく施錠操作を行える。
【００３４】
これに対し、施錠状態となっている摘み２１に対して、図５に示すように、針金３５で摘み２１を引っ掛け、或いは棒で摘み２１を押し回しするような不正な操作力、すなわち回転中心軸を点対称に逆方向の等しい回転モーメントでない操作力が加わると、摘み２１がコイルバネ２７の付勢力に抗して回転半径方向外側（図５、図６の矢印ａ方向側）へスライド移動され、摘み２１の外端部２１ａが周壁２９ａの切欠部２９ｂに進入する。これにより、摘み２１は、回転が阻止されることとなり、錠箱への解錠操作力の入力が不能となる。
【００３５】
そして、不正な操作力が解除されれば、摘み２１は、コイルバネ２７の付勢力によって、外端部２１ａが切欠部２９ｂから離間するように移動され、再び元の位置に復帰されて、正規の回転操作に備えることになる。
【００３６】
従って、この防犯サムターン１００によれば、摘み２１に対して正面から手指を用いて摘み、回転中心軸を点対称に逆方向の等しい回転モーメントが摘み２１に加えられた場合、摘み２１が回転半径方向外側へ移動せず、切欠部２９ｂと干渉せずに回転可能となり、摘み２１による回転操作力がサムターン軸１５を介して錠箱へ入力される。これに対し、屋内側へ挿入した針金で摘み２１を引っ掛け、或いは挿入した棒で摘み２１を押し回ししようとすると、摘み２１が回転半径方向外側へ移動され、切欠部２９ｂに進入して周壁２９ａに当接し、回転が阻止され、摘み２１による操作力の入力が不可能となる。これにより、挿入した針金や棒等を摘み２１に引っ掛ける等して、摘み２１を回転することによる不正解錠が阻止され、防犯性を高めることができる。
【００３７】
次に、本発明に係る防犯サムターンの他の実施の形態を説明する。
図７は本発明に係る防犯サムターンの他の実施の形態を表す概略斜視図である。
この実施の形態による防犯サムターン２００は、摘み４１が略十字形状となり、四つの外端部４１ａが回転半径方向外側に突出している。
【００３８】
回転規制部材４３は、外端部４１ａの回転軌跡円に沿って立設された円弧状の周壁４３ａと、この周壁４３ａに形成され摘み４１の外端部４１ａが進入可能となった切欠部４３ｂとからなる。また、切欠部４３ｂは、施錠位置にある摘み４１の外端部４１ａに対向して配設されている。従って、切欠部４３ｂは、摘み４１の上下左右四箇所の外端部４１ａに対応して同数の四箇所設けられている。
【００３９】
そして、サムターン軸４５と、摘み４１とは、軸芯に対して直交する方向に可撓性を有し且つ捩れ変形の小さい軸部材よりなる付勢手段としてのジョイント軸４７によって連結されている。従って、摘み４１は、サムターン軸４５に対し相対回転不能になるとともに、回転半径方向外側へ移動可能となっている。
【００４０】
この防犯サムターン２００によれば、回転中心軸を点対称に逆方向の等しい回転モーメントが摘み４１に加えられた場合、摘み４１が回転半径方向外側へ移動せず、切欠部４３ｂと干渉せずに回転可能となり、摘み４１による回転操作力がサムターン軸４５を介して錠箱へ入力される。これに対し、屋内側へ挿入した針金で摘み４１を引っ掛け、或いは挿入した棒で摘み４１を押し回ししようとすると、摘み４１が回転半径方向外側へ移動され、外端部４１ａが切欠部４３ｂに進入して周壁４３ａに当接し、回転が阻止され、摘み４１による操作力の入力が不可能となる。これにより、挿入した針金や棒等を摘み４１に引っ掛ける等して、摘み４１を回転することによる不正解錠が阻止され、防犯性を高めることができる。
【００４１】
これに加え、この防犯サムターン２００によれば、摘み４１を略十字形状としたので、上述した摘み２１が左右に移動可能な例の防犯サムターン１００に比べ、外端部４１ａを四箇所と多くすることができ、すなわち前述の防犯サムターン１００ではサムターン軸１５に対して一次元的な動きである、この防犯サムターン２００ではサムターン軸４５に対して二次元的な動きであることから、不正な操作力に対して、摘み４１を回転不能状態にさせ易くでき、防犯性をさらに高めることができる。
【図面の簡単な説明】
【００４２】
【図１】本発明に係る防犯サムターンの分解斜視図である。
【図２】図１に示した防犯サムターンの正面図である。
【図３】図２に示した防犯サムターンの側面図である。
【図４】図２に示した防犯サムターンの摘みを切り欠いた正面図である。
【図５】摘みがスライドした状態の防犯サムターンの正面図である。
【図６】摘みがスライドした状態の防犯サムターンの平面図である。
【図７】本発明に係る防犯サムターンの他の実施の形態を表す斜視図である。
【符号の説明】
【００４３】
１５，４５…サムターン軸
１７…端部（係合部）
２１，４１…摘み
２１ａ，４１ａ…外端部
２３…摺動穴
２７…付勢手段（付勢部材）（コイルバネ）
２９，４３…回転規制部材
２９ａ，４３ａ…周壁
２９ｂ，４３ｂ…切欠部
３３…傾斜面
１００，２００…防犯サムターン
Ｔ…板厚
【図１】
2005030146.tif 000003
【図２】
2005030146.tif 000004
【図３】
2005030146.tif 000005
【図４】
2005030146.tif 000006
【図５】
2005030146.tif 000007
【図６】
2005030146.tif 000008
【図７】
2005030146.tif 000009